(57)【要約】【課題】原稿に添付情報を加えて印刷する際に，添付情報の画像データの属性を原稿の画像データの文字の属性に応じて変換することにより，印刷目的に応じて原稿の文字と添付情報とのバランスを図った画像形成装置を提供する。【解決手段】複写機Ｘは，画像データ記憶部１２に記憶された原稿画像データに含まれる文字の属性情報を認識する文字認識部１３と，添付画像データ記憶部１９に記憶された要素画像データから添付情報に対応する添付画像データを生成し，生成された前記添付画像データを認識された文字の属性情報に応じて変換して，画像処理部１４により前記原稿画像データに変換された前記添付画像データを合成する画像処理部１４と，合成された前記原稿画像データを出力する画像出力部１５とを備える。【選択図】図１
2011097403.tif 000002
【特許請求の範囲】
【請求項１】
原稿の原稿画像データを記憶する原稿画像データ記憶手段と，
前記原稿画像データ記憶手段に記憶された前記原稿画像データに含まれる文字の属性情報を認識する文字認識手段と，
前記原稿画像データ記憶手段に記憶された前記原稿画像データに添付させる添付情報の添付画像データを記憶する添付画像データ記憶手段と，
前記添付画像データ記憶手段に記憶された前記添付画像データを，前記文字認識手段により認識された文字の属性情報に応じて変換する添付画像データ変換手段と，
前記添付画像データ変換手段により変換された前記添付画像データを，前記原稿画像データ記憶手段に記憶された前記原稿画像データの欄外の所定の領域に合成する添付情報合成手段と，
前記添付情報合成手段により合成された前記原稿画像データを出力する画像出力手段と，
を備えてなる画像形成装置。
【請求項２】
前記文字認識手段が，前記原稿画像データに含まれる文字の大きさ，字体，色の何れか１つ又は複数の種類の情報を属性情報として認識してなる請求項１に記載の画像形成装置。
【請求項３】
添付画像データ変換手段が，前記添付画像データ記憶手段に記憶された前記添付画像データを，前記文字認識手段により認識された文字の各種類の情報における頻度が最も高いものに応じて変換してなる請求項２に記載の画像形成装置。
【請求項４】
添付画像データ変換手段が，前記添付画像データ記憶手段に記憶された前記添付画像データを変換する際に，前記文字認識手段により認識された文字の属性情報と関連させる条件を指定する関連条件指定手段をさらに備えてなる請求項１〜３の何れかに記載の画像形成装置。
【請求項５】
前記関連情報指定手段が，前記添付画像データ記憶手段に記憶された前記添付画像データを変換する際に，１頁の前記原稿画像データごとに前記文字認識手段により認識された文字の属性情報と対応させるか，全頁の前記原稿画像データに亘って前記文字認識手段により認識された文字の属性情報と対応させるかを選択して前記条件をさらに指定してなる請求項４に記載の画像形成装置。
【請求項６】
原稿画像データ記憶手段に記憶された原稿画像データに含まれる文字の属性情報を認識する文字認識工程と，
添付画像データ記憶手段に記憶され，前記原稿画像データ記憶手段に記憶された前記原稿画像データに添付させる添付情報の添付画像データを，前記文字認識工程により認識された文字の属性情報に応じて変換する添付画像データ変換工程と，
前記添付画像データ変換工程により変換された前記添付画像データを，前記原稿画像データ記憶手段に記憶された前記原稿画像データの欄外の所定の領域に合成する添付情報合成工程と，
前記添付情報合成工程により合成された前記原稿画像データを出力する画像出力工程と，
を有してなる画像形成方法。
【請求項７】
画像形成装置のコンピュータに，
原稿画像データ記憶手段に記憶された原稿画像データに含まれる文字の属性情報を認識する文字認識工程と，
添付画像データ記憶手段に記憶され，前記原稿画像データ記憶手段に記憶された前記原稿画像データに添付させる添付情報の添付画像データを，前記文字認識工程により認識された文字の属性情報に応じて変換する添付画像データ変換工程と，
前記添付画像データ変換工程により変換された前記添付画像データを，前記原稿画像データ記憶手段に記憶された前記原稿画像データの欄外の所定の領域に合成する添付情報合成工程と，
を実行させてなる画像形成装置の画像形成プログラム。
【発明の詳細な説明】
【技術分野】
【０００１】
本発明は，画像を出力する画像形成装置に関し，特に画像を出力する際に，添付情報を付加して印刷する技術に関するものである。
【背景技術】
【０００２】
原稿を印刷する際に，頁番号，日付け，印刷時刻，企業名等の添付情報を原稿の欄外に印刷する機能を備えた複写機等の画像形成装置がある。従来の画像形成装置において，添付情報を原稿の欄外に印刷する際には，原稿本文の文字の大きさとは関係なく所定の大きさの文字，記号などが印刷される。
一方，原稿の本文の文字の大きさを認識して，原稿本文を印刷したり，文字データを変換する方法が特許文献１及び２に開示されている。
【先行技術文献】
【特許文献】
【０００３】
【特許文献１】特願２００５−２０８８７２号公報
【特許文献２】特願２００６−２５６１６２号公報
【発明の概要】
【発明が解決しようとする課題】
【０００４】
一般に，添付情報を原稿に付加する際の文字等の大きさは一定であるが，複写される原稿本文の文字の大きさは一定ではないため，添付情報を原稿本文に付加して印刷した際に，原稿本文の文字の大きさと添付情報の文字の大きさとのバランスが取れない場合がある。また，仮に添付情報を原稿に付加する際の文字等の大きさを選択できたとしても，ユーザが印刷する原稿の文字の大きさを正確に把握してバランスが取れるように添付情報の文字の大きさを選択することは難しいと考えられる。
一方，特許文献１及び２は，原稿本文の文字を一括して取り扱うため，上述したように添付情報の文字等の大きさと原稿本文の文字の大きさとが異なるような処理をすることは想定していない。
従って，本発明は上記事情に鑑みてなされたものであり，その目的とするところは，原稿に添付情報を付加して印刷する際に，添付情報の添付画像データの属性を原稿の原稿画像データに含まれる文字の属性に対応させることにより，印刷の目的に応じて原稿の文字と添付情報の文字等とのバランスが取れた原稿を出力することができる画像形成装置，画像形成方法及びプログラムを提供することにある。
【課題を解決するための手段】
【０００５】
上記目的を達成するために本発明は，原稿の原稿画像データを記憶する原稿画像データ記憶手段と，前記原稿画像データ記憶手段に記憶された前記原稿画像データに含まれる文字の属性情報を認識する文字認識手段と，前記原稿画像データ記憶手段に記憶された前記原稿画像データに添付させる添付情報の添付画像データを記憶する添付画像データ記憶手段と，前記添付画像データ記憶手段に記憶された前記添付画像データを，前記文字認識手段により認識された文字の属性情報に応じて変換する添付画像データ変換手段と，前記添付画像データ変換手段により変換された前記添付画像データを，前記原稿画像データ記憶手段に記憶された前記原稿画像データの欄外の所定の領域に合成する添付情報合成手段と，前記添付情報合成手段により合成された前記原稿画像データを出力する画像出力手段とを備えてなる画像形成装置として構成される。
本発明に係る画像形成装置は，原稿に添付情報を付加して印刷する際に，前記添付画像データの属性情報を原稿に含まれる文字の属性情報に応じて変換することにより，印刷の目的に応じて原稿に含まれる文字と前記添付画像データ（例えば，添付情報の文字・記号等）とのバランスを図ることができる。
具体的に，前記文字認識手段が，前記原稿画像データに含まれる文字の大きさ，字体，色の何れか１つ又は複数の種類の情報を属性情報として認識してなることが考えられる。例えば，原稿の文字の大きさが１０ポイントの場合に，前記添付画像データの文字の大きさを原稿の文字よりも２ポイント小さい８ポイントにしたり，原稿の文字の字体が明朝体の場合に，前記添付画像データの文字をゴシック体にしたりする。
具体的に，添付画像データ変換手段が，前記添付画像データ記憶手段に記憶された前記添付画像データを，前記文字認識手段により認識された文字の各種類の情報における頻度が最も高いものに応じて変換してなることが考えられる。例えば，原稿のタイトルや見出しと原稿本文の文字の大きさとが異なる場合に，文字数が多い原稿本文の文字の属性情報に関連して前記添付画像データを変換することができる。
好ましくは，添付画像データ変換手段が，前記添付画像データ記憶手段に記憶された前記添付画像データを変換する際に，前記文字認識手段により認識された文字の属性情報と関連させる条件を指定する関連条件指定手段をさらに備えてなることが考えられる。これにより，ユーザが印刷目的に応じて，原稿の文字の属性情報と添付情報の文字等の属性情報とを関連させる条件を任意に変更することができる。
また，前記関連情報指定手段が，前記添付画像データ記憶手段に記憶された前記添付画像データを変換する際に，１頁の前記原稿画像データごとに前記文字認識手段により認識された文字の属性情報と関連させるか，全頁の前記原稿画像データに亘って前記文字認識手段により認識された文字の属性情報と関連させるかを選択して前記条件をさらに指定してなることが考えられる。これにより，原稿の原稿画像データの１頁ごとにその原稿画像データに含まれる文字の属性情報に関連させて前記添付画像データを変換するか，原稿の原稿画像データの全ての頁の文字の属性情報に関連させて前記添付画像データを変換するかを選択することができる。
また，本発明の画像形成装置は，画像形成方法としてとらえることもできる。
即ち，原稿画像データ記憶手段に記憶された原稿画像データに含まれる文字の属性情報を認識する文字認識工程と，添付画像データ記憶手段に記憶され，前記原稿画像データ記憶手段に記憶された前記原稿画像データに添付させる添付情報の添付画像データを，前記文字認識工程により認識された文字の属性情報に応じて変換する添付画像データ変換工程と，前記添付画像データ変換工程により変換された前記添付画像データを，前記原稿画像データ記憶手段に記憶された前記原稿画像データの欄外の所定の領域に合成する添付情報合成工程と，前記添付情報合成工程により合成された前記原稿画像データを出力する画像出力工程とを有してなる画像形成方法とすることが考えられる。
更に，本発明の画像形成装置は，コンピュータのプログラムとしてとらえることもできる。
即ち，画像形成装置のコンピュータに，原稿画像データ記憶手段に記憶された原稿画像データに含まれる文字の属性情報を認識する文字認識工程と，添付画像データ記憶手段に記憶され，前記原稿画像データ記憶手段に記憶された前記原稿画像データに添付させる添付情報の添付画像データを，前記文字認識工程により認識された文字の属性情報に応じて変換する添付画像データ変換工程と，前記添付画像データ変換工程により変換された前記添付画像データを，前記原稿画像データ記憶手段に記憶された前記原稿画像データの欄外の所定の領域に合成する添付情報合成工程とを実行させてなる画像形成装置の画像形成プログラムであることが考えられる。これにより，コンピュータに記憶されている原稿用の前記原稿画像データに前記添付画像データを付加して印刷する際に，前記添付画像データの属性情報（大きさ，字体，色等）を前記原稿画像データに含まれる文字の属性情報に応じて変換することにより，印刷の目的に応じて前記原稿画像データに含まれる文字と前記添付画像データとのバランスを図ることができる。そのため，紙等に印刷しなくても画面に表示させることにより原稿に含まれる文字と添付情報の文字等とのバランスを確認することができる。
【発明の効果】
【０００６】
本発明によれば，原稿に添付情報を付加して印刷する際に，添付情報の添付画像データの属性を原稿の原稿画像データに含まれる文字の属性に応じて変換する。ここで「文字の属性に応じて」とは，原稿の文字が１２ポイントであった場合に，１２ポイントとのバランスを考えて，それより若干小さい１０．５ポイントで例えば添付情報の一例である日付けや部署名を表示するようなことを言い，本発明では，このような属性情報を調整する。これにより，印刷の目的に応じて原稿の文字と添付情報の文字等とのバランスが取れた原稿を出力することができる。
【図面の簡単な説明】
【０００７】
【図１】本発明の実施形態に係る画像形成装置の一例である複写機Ｘの概略構成を表すブロック図。
【図２】複写機Ｘにおける添付情報を付加して印刷する処理の一例を示すフローチャート図。
【図３】複写機Ｘにおける添付情報を付加された原稿の出力の一例を示す図。
【図４】プログラムを実行するハードウェアの構成の一例を示す図。
【発明を実施するための形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
【０００９】
まず，図１に示される概略構成図を参照しつつ，本発明の実施形態に係る複写機Ｘの構成について説明する。
図１に示されるように，複写機Ｘは，スキャナ部１１，画像データ記憶部１２，文字認識部１３，画像処理部１４，画像出力部１５，操作部１６，表示部１７，主制御部１８，添付画像データ記憶部１９等を備えている。尚，複写機Ｘは、図１に示す構成要素以外にも、一般的な複写機が備える構成要素も備えているが、ここでは記載を省略している。
前記スキャナ部１１は，例えば、密着型撮像素子（ＣＩＳ：Contact Image Sensor）等のイメージセンサを備え，このイメージセンサにより原稿から画像を読み取り，原稿画像データとして画像データ記憶部１２に保存するものである。尚，前記スキャナ部１１は，画像読取手段の一例である。
前記画像データ記憶部１２は，例えば、ＤＲＡＭやハードディスク等により構成された揮発性メモリであり、印刷される原稿画像データを記憶するものである。尚，前記画像データ記憶部１２は，原稿画像データ記憶手段の一例である。
前記文字認識部１３は，前記画像データ記憶部１２に記憶されている前記原稿画像データの中に含まれる文字そのもの，及び文字の種類，文字の大きさ，字体，色等の属性情報を認識する。尚，前記文字認識部１３は，文字認識手段の一例である。
前記画像処理部１４は，前記画像データ記憶部１２に保存された前記原稿画像データに各種の画像処理を施す。また前記画像処理部１４は，原稿に添付情報を画像化した添付画像情報を付加して印刷する際には，前記原稿画像データ内の原稿本文に対する欄外の所定の領域に添付画像データを合成する。前記画像処理部１４で画像処理が施された後の前記原稿画像データは，画像出力部１５に入力される。尚，前記欄外の所定の領域とは，原稿画像データの原稿本文以外の部分である原稿本文の上部又は下部の空白のことをいう。もちろん，原稿本文の横の領域であっても良い。また，前記画像処理部１４は，添付情報合成手段の一例である。
また，前記添付情報とは，原稿を補足するための情報であり，例えば頁，日付け，印刷時刻，ロゴマーク，部署名，書類の重要度を分類する記号などの情報であったり，ユーザが原稿本文の内容を補足するために記載した注釈などである。前記添付画像データとは，前記添付情報をその属性情報を加味して画像化した画像データである。
前記画像出力部１５は，感光体ドラムや帯電装置，ＬＳＵ（Laser Scanning Ｕnit），現像装置，定着装置などを備えており，前記画像処理部１４によって
前記原稿画像データに前記添付画像データが合成されたあるいは合成されていない原稿画像の出力画像データに基づいて用紙に画像を形成する画像形成処理（印刷処理）を実行する。尚，前記画像出力部１５は，画像出力手段の一例である。
前記操作部１６は，ユーザにより操作されるシートキーや操作ボタン等により構成され、ユーザによる操作入力を受け付ける入力インターフェースであり，例えば，前記スキャナ部１１に原稿から画像を読み込ませる操作や，添付情報の属性情報と原稿本文の文字の属性情報とを関連させる条件を受け付けたりする。また，前記操作部１６を介してユーザにより，１頁ごとに添付情報の属性情報と原稿本文の文字の属性情報とを関連させるか全ての頁に亘り添付情報の属性情報と原稿本文の文字の属性情報とを関連させるかが選択される。
尚，関連させる，つまり対応付けの条件として，原稿本文の文字の大きさよりも添付画像データの文字の大きさを２ポイント小さくしたり，原稿本文の文字の字体が明朝体の場合に添付画像データをゴシック体にしたり，原稿本文の文字が黒色のみの場合に，添付画像データであるロゴマークをカラーから白黒に変換したりすることによって原稿画像データに対する添付画像データのバランスを調整する条件が揚げられる。また，前記操作部１６は，関連条件指定手段の一例である。
前記表示部１７は，前記主制御部１８からの指示に応じて各種の情報を表示する液晶ディスプレイであり，例えば原稿の前記原稿画像データを表示したり，前記出力画像データを表示する。
【００１０】
前記添付画像データ記憶部１９は，前記添付画像データを記憶する。前記添付情報とその属性情報とから前記添付画像データ記憶部１９に記憶する前記添付画像データを生成することができる。例えば，ゴシック体の各数字「０〜９」や各文字「年，月，日」の画像データと，前記添付情報「２００９／１０／３１」と，その属性情報（ゴシック文字，フォントサイズを８ポイント，色は黒等）とに基づいて，後述する主制御部１８により黒色，８ポイント，ゴシック体の前記添付画像データ「２００９年１０月３１日」が生成される。尚，前記添付画像データ記憶部１９は，添付画像データ記憶手段の一例である。
前記主制御部１８は，ＣＰＵとＲＯＭとを備え，ＣＰＵは、当該複写機Ｘ全体の各種制御及び演算を行う演算手段であり，ＲＯＭは、ＣＰＵにより実行される制御プログラムや演算プログラム、ＣＰＵがそれらプログラムを実行する際に参照するデータ等が記憶されるメモリである。また，前述したように，主制御部１８は，前記添付画像データを生成する。更に，前記主制御部１８は，前記文字認識部１３により認識された前記原稿画像データに含まれる文字の大きさ，字体，色などの属性情報の項目ごとに値を集計し，出現頻度が最も多い値に関連させて，前記添付画像データの大きさ，字体，色などを変換する。尚，前記主制御部１８は，添付データ変換手段の一例である。
【００１１】
次に，図２のフローチャートを参照して，複写機Ｘの主制御部１８が中心となって，原稿画像データに添付画像データを合成する処理の一例について説明する。尚、以下に示すＳ１０１、Ｓ１０２、…は、処理手順（ステップ）の識別符号を表す。また以下のＳ１０１〜Ｓ１０７の処理は，原稿１枚毎に行われる。
まず，ユーザが印刷する画像をスキャナ部１１にセットし，操作部１６から主制御部１８に読込みを指示する。主制御部１８は，スキャナ部１１にセットされた画像を読込み，読込んだ原稿画像データを画像データ記憶部１２に記憶する（ステップＳ１０１）。文字認識部１３は，画像データ記憶部１２に記憶された１頁の原稿画像データごとに，原稿画像データの中に含まれる文字の大きさ，字体，色等の属性情報を認識する（ステップＳ１０２）。
主制御部１８は，文字認識部１３により認識された原稿内の文字の属性情報を集計し，大きさ，字体，色などの区分ごとに出現頻度が高い値を判別する（ステップＳ１０３）。
次に主制御部１８は，原稿に添付させる添付情報を生成する（ステップＳ１０４）。
添付情報は，印刷に先立って使用者によって予め入力されたものを用いても良いが，主制御部１８が，印刷される原稿画像データから，報告書，経理帳票などの文書の種類を判別して，原稿画像に差し込むべき日付や部署などの添付情報を生成してもよい。
さらに主制御部１８は，添付画像データを生成するに先立って，生成された添付情報の属性情報を基本情報として記憶されている属性情報を変換することにより決定する。
この実施形態では，原稿画像に差し込む（合成する）添付画像データの文字の種類，大きさ，色などの属性情報を，原稿画像データにおける属性情報に応じた（バランスのとれた）ものとすることで，添付画像データの原稿画像データに対するバランスを調整する。そのため，この実施形態では，添付情報の属性情報と，原稿画像データにおける属性情報との対応関係を予め定めておき，図外の記憶部に記憶しておく。このような対応関係は，例えば，原稿画像データにおける文字の種類が明朝であれば，添付情報の文字の種類をゴシック体に，原稿画像データにおける文字の大きさが１２ポイントであれば，添付情報の文字の大きさを１０．５ポイントに，原稿画像データにおける文字の色が濃いブルーであれば，添付情報の文字の色を薄いブルーにするといった添付情報の属性情報と，原稿画像データにおける属性情報との関係を定めるルールである。
主制御部１８は，前記のように添付情報が得られると，このルールにより定められている属性情報を得られた添付情報に適用することにより，原稿画像データに合成するべき添付情報をその属性を含んで生成することができる。
主制御部１８は，上記のように添付情報とその属性情報が得られると，これらの情報に基づいて添付画像データを生成する（ステップＳ１０５）。
続いて前記画像処理部１４は，主制御部１８の指示により，前記原稿画像データ内の原稿本文の欄外の所定の領域に添付画像データを合成する（ステップＳ１０６）。
更に前記画像出力部１５は，主制御部１８の指示により，前記画像処理部１４によって原稿画像データに添付画像データを合成して得られた出力画像データに基づいて用紙に画像を印刷する（ステップＳ１０７）。尚，主制御部１８は，前記出力画像データを前記画像出力部１５に印刷させる代わりに，前記表示部１７に表示させても良い。
例えば，図３に示すように，ユーザがスキャナ部１１に原稿を読込ませて，複写機Ｘに印刷させると，原稿の欄外の上部左上に企業名，上部右上に日付け，下部中央に頁，下部右下に注釈などの添付情報が添付された原稿が出力される。
【００１２】
以上説明したように，前記複写機Ｘによれば，原稿に添付情報を付加して印刷する際に，ユーザが添付情報の文字等の大きさなどを設定をしなくても，添付情報の添付画像データの属性を原稿の原稿画像データに含まれる文字の属性と所定の関連を保たせる，即ち対応させることにより，印刷の目的に応じて原稿の文字と添付情報の文字等とのバランスが取れた原稿を出力することができる。
例えば，対応関係としては，前記の外に，大きさを２段階落としたり，同系色の色にしたり，字体を異ならせたり，同じ字体にしたりすることが考えられる。
また，印刷する原稿１頁ごとに原稿に含まれる文字の属性情報を認識・集計して，原稿の添付情報の大きさ・字体・色などを各頁ごとに適したものに変換するので，字体が異なる複数の頁を含む場合でも，各頁の原稿本文と添付情報とのバランスを図ることができる。
更に，操作部１６により，添付情報の添付画像データ属性情報と原稿の原稿画像データの属性情報とを関連させる条件を変更することができるようにしてもよい。この場合，印刷する原稿の種類に応じて適切な条件を選択することができる。
【実施例１】
【００１３】
実施例１では，図２を参照しつつ，前記ステップＳ１０２，Ｓ１０３，Ｓ１０５の処理の他の例について説明する。
具体的に，前記ステップＳ１０２において，文字認識部１３は，画像データ記憶部１２に記憶された複数頁の原稿全ての原稿画像データに亘って，原稿画像データの中に含まれる文字の大きさ，字体，色等の属性情報を認識する（ステップＳ１０２）ものでもよい。この場合，前記ステップＳ１０３において，主制御部１８は，文字認識部１３により認識された文字の属性情報を集計し，大きさ，字体，色などの区分ごとに出現頻度が高い値を判別する。こうして，前記ステップＳ１０５において，主制御部１８は，全ての頁に亘り集計した属性情報（大きさ，字体，色など）の出現頻度が最も多い値に関連させて，前記添付画像データの大きさ，字体，色などを変換する。
これにより，全ての頁に亘り統一された添付情報を原稿に合成することができる。
【実施例２】
【００１４】
また、複写機Ｘは、専用のシステムによらず、図４に示されるネットワークに接続された通常のコンピュータシステムＹを用いて実現可能である。図４のコンピュータシステムＹは、例えば、主制御部１８、主記憶部２１、外記憶部２２、操作部１６、表示部１７、送受信部２３、内部バス２４を備えている。主制御部１８はＣＰＵ（Central Processing Unit）を含み、主記憶部２１はＲＡＭ（Random Access Memory）等を含む。主制御部１８は、主記憶部２１に記憶されているプログラムを実行し、複写機Ｘを実現する。
例えば、前記の処理を実行するためのプログラムを、コンピュータが読み取り可能な記録媒体（フレキシブルディスク、ＣＤ−ＲＯＭ、ＤＶＤ−ＲＯＭ等）に格納して配布し、当該プログラムをコンピュータにインストールすることにより、前記の処理を実行する複写機Ｘを構成してもよい。また、インターネット等の通信ネットワーク上のサーバ装置が有する記憶装置に当該プログラムを格納しておき、通常のコンピュータシステムがダウンロード等することで複写機Ｘを構成してもよい。
これにより，紙等に印刷しなくても画面に表示させることにより原稿に含まれる文字と添付情報の文字等とのバランスを確認することができる。
【００１５】
以上、本発明の実施の形態について説明したが、設計上の都合やその他の要因によって必要となる様々な修正や組み合わせは、請求項に記載されている発明や発明の実施の形態に記載されている具体例に対応する発明の範囲に含まれると理解されるべきである。
【符号の説明】
【００１６】
Ｘ      ：複写機（画像形成装置の一例）
１１    ：スキャナ部
１２    ：画像データ記憶部
１３    ：文字認識部
１４    ：画像処理部
１５    ：画像出力部
１６    ：操作部
１７    ：表示部
１８    ：主制御部
１９    ：添付画像データ記憶部
【図１】
2011097403.tif 000003
【図２】
2011097403.tif 000004
【図３】
2011097403.tif 000005
【図４】
2011097403.tif 000006